(57)【特許請求の範囲】
【請求項１】
スリッタにおいて巻取軸に巻き取られた巻取ロールを押さえるタッチローラを一対の回動可能な支持アームに回転軸を介して取り付ける取付け装置において、
該回転軸端部には雄ねじを刻設するとともに雌ねじを刻設した外周が円形の凸部を有するナットで螺合可能とし、該雄ねじの軸方向のローラ側に二面取り形状の扁平部を設け、前記支持アームには前記二面取り形状の扁平部が嵌合可能な平行な平面を有する開口部を設けるとともに一対の支持アームの外側面において開口部を囲む周辺に前記雌ねじの凸部の外周が嵌合可能な円形凹部を備え、
前記支持アームの開口部にタッチローラの回転軸の二面取り形状の扁平部を嵌合し、雌ねじを回転軸端部の雄ねじに螺合するとともに雌ねじの円形の凸部の外周を前記円形凹部に嵌合して回転軸を固定することを特徴とするタッチローラの取付け装置。
【請求項２】
前記一対の支持アームのタッチローラの取付け位置と支持アームの回動支点の中間位置において両支持アームに両端部を固着した固定軸を取付けたことを特徴とする請求項１に記載のタッチローラの取付け装置。
【発明の詳細な説明】
【０００１】
【発明の属する技術分野】
本発明は、スリッタにおいて巻取軸に巻き取られた巻取ロールを押さえるタッチローラを一対の回動可能な支持アームに回転軸を介して取り付ける取付け装置に関する。
【０００２】
【従来の技術】
スリッタは、紙やプラスチックフィルム等の広幅ウエブを縦にスリットして、スリットされた細幅ウエブを巻取軸に巻き取り巻取ロールとして取り出す装置である。図３および図４に、タッチローラ１１を備えたスリッタ１０１の概略図を示している。すなわち、プラスチックフィルムからなる広幅ウエブ１０２の供給ローラ１０３と、広幅ウエブ１０２を縦方向にスリットするカッタ１０４と、カッタ１０４でスリットされた細幅ウエブ１０５を巻き取るための上段および下段の巻取ローラ１０６とからなる。広幅ウエブ１０２および細幅ウエブ１０５はこれらの各部材および複数のガイドローラを通る。このスリッタにおいては、カッタ１０４は広幅ウエブ１０２を４つの等しい幅の細幅ウエブ１０５にスリットする。スリットされた細幅ウエブ１０５はガイドローラ１０７で上下段に分けられ、それぞれ間隔をあけて２つずつ巻取ロール２０に巻き取られる。このように上下段に振り分けて間隔をあけて巻取る構成は、巻取ロール２０の端部同士が干渉しないで巻き取られるために従来から行われている。
【０００３】
このとき、巻取ロール２０が適切な巻き上がり硬度となるように、またウエブの層間に過剰な空気が巻き込まれるのを防止するために巻取り中に巻取ロール２０にタッチローラ１１を接触させて巻取るようにしている。タッチローラ１１は自身の重量あるいは荷重の調整により巻取ロール２０に接触圧を与えるようにしており、巻取ロール２０の幅方向を均一に押さえることができるようにタッチローラ１１の幅は巻取ロール２０の幅よりも少しだけ長いものが使用されている。したがって、タッチローラ１１は製品が異なるごとにその製品幅に対応したものに交換されて使用されるのが普通である。
【０００４】
タッチローラ１１が取り付けられる方法としては、通常、支軸を中心に回動する支持アームの先端にタッチローラ１１の両端に設けられた回転軸を介して取り付けられた構成からなるものが多い。
その具体的な方法としては、例えば、図５に示すように、支持アーム１４に設けられた透孔１０８にタッチローラ１１の回転軸１２を挿通し、ねじ１０９で止めるなどにより支持アーム１４に固着して取り付けられたものが多く使用されているが、ねじ１０９で止めるなどにより支持アーム１４に固着して取り付けられたものは、タッチローラ１１の交換の度に工具などを用いてタッチローラ１１を支持アーム１４から解体し、再度交換したタッチローラ１１を工具を用いて組み立てて使用していた。この方法では、タッチローラ１１の解体や組立は煩雑な作業となるため、通常は、タッチローラ１１と支持アーム１４は一体化したものとして支持アーム１４ごと交換し使用されていた。
【０００５】
また、上記のような煩雑さを解決するために、図６に示すように、回転軸１２の端部を支持アーム１４に設けられた透孔１０８に挿通し、回転軸１２に嵌合した筒状つまみ１１０を圧縮ばね１１１を併用して透孔１０８にすきまばめしてワンタッチで取付け可能としたタッチローラ取付装置も開示されている（実公平４−４４５１８号公報）が、巻取ロールには、通常、幅方向に厚みムラがあり巻取ロールの幅方向に高低差が生じることが多いが、圧縮ばね１１１で押圧して取り付けたタッチローラ１１は、タッチローラ１１と支持アーム１４との固着力が不十分で巻取ロールに高低差が生じるとタッチローラ１１の回転軸１２と支持アーム１４との取付け状態が緩み、タッチローラ１１の回転軸１２が巻取ローラ１０６と平行にして押さえることが困難となるという問題があった。
【０００６】
【発明が解決しようとする課題】
本発明は、上記事情に鑑み、タッチローラを支持アームに着脱容易で、かつ堅固に固着可能で巻取ロールに巻きの不均一が生じてもタッチローラの回転軸と巻取ローラが平行を保つように押圧可能なタッチローラの取付け装置を提供することを目的とする。
【０００７】
【課題を解決するための手段】
本発明は、上記課題を解決する手段として、スリッタにおいて巻取軸に巻き取られた巻取ロールを押さえるタッチローラを一対の回動可能な支持アームに回転軸を介して取り付ける取付け装置において、該回転軸端部には雄ねじを刻設するとともに雌ねじを刻設した外周が円形の凸部を有するナットで螺合可能とし、該雄ねじの軸方向のローラ側に二面取り形状の扁平部を設け、前記支持アームには前記二面取り形状の扁平部が嵌合可能な平行な平面を有する開口部を設けるとともに一対の支持アームの外側面において開口部を囲む周辺に前記雌ねじの凸部の外周が嵌合可能な円形凹部を備え、前記支持アームの開口部にタッチローラの回転軸の二面取り形状の扁平部を嵌合し、雌ねじを回転軸端部の雄ねじに螺合するとともに雌ねじの円形の凸部の外周を前記円形凹部に嵌合して回転軸を固定することを特徴とするタッチローラの取付け装置を提供して、上記課題を解消する。
また、上記一対の支持アームのタッチローラの取付け位置と支持アームの回動支点の中間位置において両支持アームに両端部を固着した固定軸を取付けることができる。
【０００８】
【発明の実施の形態】
以下、本発明の実施例について図面を参照して詳細に説明する。
図１はタッチローラの取付け装置１０の概略を示す平面断面図であって、タッチローラ１１は、回転軸１２の両端に軸受１３を有し回転軸１２を中心として軸受１３によって回転するローラであって、回転軸１２の両端部が一対の支持アーム１４の先端部に嵌合され、回転軸１２の端部に刻設された雄ねじ１５に雌ねじ１６が刻設されたナット１７で取り付けられている。支持アーム１４は支持アーム１４の基端部に設けられた取付け部材１８により支軸１９に回動自在に取付けられており、タッチローラ１１は、図３に示す巻取ロール２０上に配置され自重で巻取ロール２０を押圧するようにしている。
【０００９】
図２は、取付け装置の詳細を示すものであって、タッチローラ１１の回転軸１２端部には雄ねじ１５が刻設されるとともに、回転軸１２に刻設された雄ねじ１５のローラ側には二面取り形状の扁平部２１が設けられている。扁平部２１は一対の平面が一定幅で平行になるように形成されている。
【００１０】
一方、回転軸１２端部に設けられた雄ねじ１５に羅合可能な雌ねじ１６を刻設したナット１７が用意され、支持アーム１４先端部に嵌合されたタッチローラ１１の回転軸１２端部にナット１７を羅合して手で締め付けあるいは緩めて容易に着脱可能にしている。ナット１７は、外周が円形の凸部２２を有することが肝要で、後述する支持アーム１４に設けられた円形凹部２３に嵌合可能としている。ナット１７の頭頂側には円形の凸部２２よりも大径の大径部２４を設け、大径部２４の外周には摩擦防止溝などを設け、手で容易に締め付けあるいは緩める作業が行えるようにするのが好ましい。大径部２４の形状は円形、角形など任意の形状をとることができる。
【００１１】
支持アーム１４は、板状体からなり、その先端部には前記二面取り形状の扁平部２１が嵌合可能な平行な平面を有する開口部２５が設けられている。この開口部２５にタッチローラ１１の回転軸１２の二面取り形状の扁平部２１が嵌合されると、回転軸１２端部に設けられた雄ねじ１５が外方に突出し、前記ナット１７で締め付けて支持アーム１４に固定することができる。支持アーム１４の開口部２５の平行な平面とタッチローラ１１の扁平部２１の平行な平面とはクリアランスを極小にして緊密に当接して緩みなく嵌合されることが好ましい。
【００１２】
一対の支持アーム１４の外側面に位置する開口部２５を囲む周辺には円形の凹部２３が屈設されており、前記雌ねじ１６の円形の凸部２２の外周と円形の凹部２３が隙間なく嵌合可能に設けられている。
【００１３】
支持アーム１４の基端部は支軸１９に取付けられており、支軸１９を中心として先端部が回動自在となっている。したがって、巻取ロール２０の巻太りにつれて巻取ロール２０に当接するタッチローラ１１は、回動可能な支持アーム１４の動作とともに上方に回動し、常に一定の自重による負荷で巻取ロール２０を押圧している。タッチローラ１１の幅は、巻取ロール２０の幅方向を均一に押さえることができるように巻取ロール２０の幅よりも少しだけ長いものが使用されている。したがって、タッチローラ１１は製品が異なるごとにその製品幅に対応したものに交換されて使用されるのが好ましい。
【００１４】
また、上記一対の支持アーム１４の先端部のタッチローラ１１の取付け位置と基端部の支軸１９への取付け位置の中間位置において両支持アーム１４に両端部を固着した固定軸２６を取付けるのが好ましい。巻取ロール２０には、通常、幅方向に厚みムラがあり巻取ロール２０の幅方向に高低差が生じることが多く、支持アーム１４の長さが長いと支持アーム１４の回転軸への取付け部材１８やタッチローラ１１の左右の回転軸１２と支持アーム１４との取付け装置などのわずかなクリアランスのためにタッチローラ１１の水平が維持できず、タッチローラ１１が巻取ロール２０と平行に押圧することが困難となる。したがって、上記固定軸２６を取り付けることにより、タッチローラ１１が傾斜するのを防止しできるだけ水平に押圧することができる。
【００１５】
つぎに、作用を説明する。前記支持アーム１４の開口部２５にタッチローラ１１の回転軸１２の二面取り形状の扁平部２１を嵌合し、雌ねじ１６を回転軸１２端部の雄ねじ１５に螺合するとともに雌ねじ１６の円形の凸部２２の外周を前記円形凹部２３に嵌合して回転軸１２を固定する。
先に記した構成になる取付け装置であるから、開口部２５の開口幅はタッチローラ１１の回転軸１２端部の直径より小さいために、回転軸１２に設けられた扁平部２１のみが嵌合可能となり、装着ミス等が発生する余地もなく作業性にもすぐれている。
また、雌ねじ１６の円形の凸部２２の外周を前記円形の凹部２３に嵌合して回転軸１２を固定することにより、常に支持アーム１４の一定位置にタッチローラ１１の回転軸１２を固定することができるため、芯だし等に時間を掛ける必要もない。
さらに、大径部２４を備えたナット１７を手で締め付けることによりタッチローラ１１を支持アーム１４に堅固に装着することができるので、工具等を使用する必要がないので作業性にすぐれているとともに、スプリングで押さえるなどの方法に比べてタッチローラ１１と支持アーム１４との連結部分に緩みなどの生じる余地がなく、巻取ロール２０の幅方向における高低差などの発生に対応してタッチローラ１１が傾斜してしまうなどの不都合も発生することなく押圧が可能となる。
【００１６】
【発明の効果】
以上説明したように、本発明は、タッチローラを支持アームに工具を必要とせず着脱容易で、かつ堅固に固着可能で巻取ロールに巻きの不均一が生じてもタッチローラの回転軸と巻取ローラが平行を保つように押圧可能なタッチローラの取付け装置である。
【図面の簡単な説明】
【図１】本発明に係るタッチローラの取付け装置の概略を示す平面断面図である。
【図２】図１に係る取付け装置の詳細を説明する説明図である。
【図３】スリッタの概略を示す説明図である。
【図４】図３に係るタッチローラの状態を示す説明図である。
【図５】従来のタッチローラの取付け状態を説明する説明図である。
【図６】従来の他のタッチローラの取付け状態を説明する説明図である。
【符号の説明】
１０  タッチローラの取付け装置
１１  タッチローラ
１２  回転軸
１３  軸受
１４  支持アーム
１５  雄ねじ
１６  雌ねじ
１７  ナット
１８  支持アーム取付け部材
１９  支軸
２０  巻取ロール
２１  扁平部
２２  凸部
２３  凹部
２４  大径部
２５  開口部
２６  固定軸
【図１】
0004230603.tif 000002
【図２】
0004230603.tif 000003
【図３】
0004230603.tif 000004
【図４】
0004230603.tif 000005
【図５】
0004230603.tif 000006
【図６】
0004230603.tif 000007